(57)【要約】【課題】監視の対象となる空調設備を複数のアダプタを介して管理装置に接続させたときにも、管理装置側における空調設備とアダプタとの対応づけに間違いが生じることが抑えられるシステムを提供する。【解決手段】本システムは、対象の空調設備を管理するためのシステムであって、特定のプロトコルが採用される空調集中管理装置１５と、汎用アダプタ５５，５６とを備えている。汎用アダプタ５５，５６は、空調集中管理装置１５と空調設備の室外機５１との間に介挿され、プロトコルの変換を行う。この汎用アダプタ５５，５６は、他のアダプタと共通のグループに属することを示すためのグルーピング用ディップスイッチ７を有している。【選択図】　　　　図３
2004070788.tif 000002
【特許請求の範囲】
【請求項１】
対象の設備機器（３１，４１，５１）を管理するための設備機器管理システムであって、
特定のプロトコルが採用される管理装置（１５）と、
前記管理装置と前記設備機器との間に介挿され、プロトコルの変換を行うアダプタ（３５，３６，３７，４５，５５，５６）と、
を備え、
前記アダプタは、他の前記アダプタと共通のグループに属することを示すためのグループ識別手段（８）を有している、
設備管理システム。
【請求項２】
前記アダプタは、さらに、自己を他の前記アダプタと識別するためのアダプタ識別手段（７）を有している、
請求項１に記載の設備管理システム。
【請求項３】
前記管理装置において対象の前記設備機器に対して名称を入力する入力装置（７１）をさらに備え、
前記入力装置は、前記グループ毎に前記名称を入力する、
請求項１又は２に記載の設備管理システム。
【請求項４】
前記アダプタを介して前記管理装置に接続される前記設備機器それぞれについて、前記名称毎に、前記アダプタの前記設備機器に対する標準の接続状態を記憶しているアダプタ接続状態記憶装置（８１）をさらに備え、
前記管理装置は、前記アダプタ接続状態記憶装置に接続して、前記アダプタの前記設備機器に対する標準の接続状態を取り込むことができる、
請求項３に記載の設備管理システム。
【請求項５】
前記入力装置（７１）は、前記管理装置において前記アダプタの前記設備機器に対する実際の接続状態を入力することができる、
請求項４に記載の設備管理システム。
【請求項６】
特定のプロトコルが採用される管理装置（１５）によって対象の設備機器（３１，４１，５１）を管理する際に、前記管理装置と１つの前記設備機器との間で同一仕様の複数のものが使用されるアダプタ（３５，３６，３７，４５，５５，５６）であって、
前記管理装置と前記設備機器との間でプロトコルの変換を行う変換手段（４）と、
他の前記アダプタと共通のグループに属することを示すためのグループ識別手段（８）と、
を備えるアダプタ。
【請求項７】
自己を他の前記アダプタと識別するためのアダプタ識別手段（７）をさらに備える、
請求項６に記載のアダプタ。
【発明の詳細な説明】
【０００１】
【発明の属する技術分野】
本発明は、設備機器管理システムおよび設備機器管理システム用のアダプタに関する。
【０００２】
【従来の技術】
近年、商業ビル、オフィスビル、病院、ホテル、倉庫、工場など、いろいろなビルに配備された空調設備などの設備機器を、遠隔に設置された遠隔監視センターに接続させて集中監視を行うシステムが現れている。例えば、図５に示すビル１１０，１１０’，１１０’’内には、複数の室内機１３１および室外機１２１から成る空調設備など複数の空調設備を統括して制御・管理する設備管理装置１１５が存在する。この設備管理装置１１５は、ビル１１０等の管理者からの指令によって空調制御を行ったり、ビル１１０等の管理者に対して室外機１２１や室内機１３１の状態の監視データを提供したりする役割を果たす。そして、この設備管理装置１１５は、公衆回線９０などを介して、直接的に、あるいは間接的に、外部の遠隔監視センター１８０のサーバコンピュータ１８１に接続される。これにより、ビル１１０等の内部の設備管理装置１１５が単独では提供できないサービスを、遠隔監視センター１８０がビル１１０等の管理者やオーナーなどに対して提供することができるようになっている。
【０００３】
具体的には、遠隔監視センター１８０において、各ビル１１０等の空調設備の故障監視、故障予知、設備利用の料金管理、データ解析による改善提案、各種報告書の作成などを行うサービスが展開されている。
【０００４】
【発明が解決しようとする課題】
このようなシステムにおいては、ビル等のローカルシステムにおいて、監視や制御の対象となる設備機器が設備管理装置に対して同一の通信プロトコルで接続されている必要がある。ところが、設備管理装置の製造メーカーと、それに接続される設備機器の製造メーカーとが違う場合には、プロトコルの違いにより、設備管理装置と設備機器との通信が確立できない事態が生じる。このような場合にも、プロトコルを変換する汎用アダプタを介在させることによって、両者の接続の確立が可能である。例えば、同一のプロトコルを採用する同一メーカーの設備管理装置や設備機器が中心となって空調システムが構築されているビルにおいて、幾つかの他メーカーの設備機器が存在している場合には、同一メーカーの設備管理装置や設備機器を結ぶネットワークに対して他メーカーの設備機器を汎用アダプタを介して接続させることができる。これにより、他メーカーの設備機器に汎用アダプタからセンサを延ばしたり、他メーカーの設備機器の部品の運転／停止の接点を検出したりして、設備管理装置において他メーカーの設備機器の監視等も行うことが可能になる。
【０００５】
しかし、汎用アダプタの接点の数やセンサの数は、一定である。このため、アダプタを介して監視等を行いたい対象の設備機器が多くの監視必要項目を有している場合には、汎用アダプタを使い難くなる。１つの汎用アダプタの接点やセンサの数が足りない場合には、１つの設備機器に対して複数の汎用アダプタを介在させるということが可能であるが、こうしたときには、次のようなシステム設定ミスが発生する確率が高くなる。
【０００６】
すなわち、１つの設備機器に対して複数の汎用アダプタを介在させると、設備管理装置において各アダプタが属する設備機器を特定するグルーピング作業が必要となる。このグルーピング作業では、各設備機器の設置場所に置かれるアダプタが設備管理装置に対して自己の識別アドレスを送信してくるので、それらのアダプタがどのようなグループに分かれて各設備機器に対応づけられているのかを、設備管理装置（あるいは設備管理装置に仮接続される試運転ツール）で手入力することになる。この手入力作業は、各設備機器が設置されている現場ではなく、設備管理装置が設置されている場所において行わなければならず、グルーピング作業を目視による確認をしながらの作業とすることは非常に困難である。このようなことから、１つの設備機器に対して複数の汎用アダプタを介在させると、設備管理装置におけるグルーピング作業において設定ミスが発生する確率が高くなり、ミスをなくすためには何度も確認を行わなければならない。
【０００７】
一方、検出したい監視項目が多い設備機器に対して、汎用アダプタではなく、検出可能な接点やセンサの数が多い専用アダプタを用意しておくということも考えられるが、そのようなアダプタを設備機器の機種毎に用意することはコスト的にデメリットが大きい。
本発明の課題は、管理の対象となる設備機器を複数のアダプタを介して管理装置に接続させたときにも、管理装置側における設備機器とアダプタとの対応づけに間違いが生じることが抑えられる設備機器管理システムおよび設備機器管理システム用のアダプタを提供することにある。
【０００８】
【課題を解決するための手段】
請求項１に係る設備管理システムは、対象の設備機器を管理するための設備機器管理システムであって、特定のプロトコルが採用される管理装置と、アダプタとを備えている。アダプタは、管理装置と設備機器との間に介挿され、プロトコルの変換を行う。このアダプタは、他のアダプタと共通のグループに属することを示すためのグループ識別手段を有している。グループ識別手段としては、例えばグループ番号を設定することができるスイッチなどを用いることができる。
【０００９】
ここでは、管理装置で採用されているプロトコルを採用していない設備機器であっても、アダプタを介挿することによって、その設備機器を管理装置で管理することができる。また、対象となる設備機器を１つのアダプタを介して管理装置に接続しただけでは設備機器を十分に管理できず、１つの設備機器を２つ以上のアダプタを介して管理装置に接続しなければならない場合にも、ここではアダプタがグループ識別手段を有しているため、１つの設備機器のための２つ以上のアダプタが共通のグループに属するようにグループ識別手段をセットすれば、管理装置側では各アダプタが属するグループを自動的に認識することができるようになる。
【００１０】
このように、ここでは、１つの設備機器に対して２つ以上のアダプタを使う場合においても、管理装置側における設備機器とアダプタとの対応づけに間違いが生じることが抑えられる。
請求項２に係る設備管理システムは、請求項１に記載の設備管理システムであって、アダプタは、さらに、自己を他のアダプタと識別するためのアダプタ識別手段を有している。
【００１１】
グループ識別手段を低コストにすると、識別可能なグループの数が小さくなる。したがって、１つの設備機器に１つのアダプタを用いるケースにまでグループを設定すると、グループ識別手段がグループ数に対応できなくなる恐れがある。これに対し、ここでは、アダプタ識別手段によって各アダプタが識別されているので、１つの設備機器に１つのアダプタを用いるケースに対して仮想的な特定グループを設定してやれば、管理装置側で特定グループのものはアダプタそれぞれが単独で設備機器に対応づけられていると認識するようにし、アダプタの識別番号などをグループの代わりに採用して設備機器にアダプタを対応づけることができる。
【００１２】
請求項３に係る設備管理システムは、請求項１又は２に記載の設備管理システムであって、入力装置をさらに備えている。入力装置は、管理装置において対象の設備機器に対して名称を入力するもので、管理装置と別体であっても、管理装置に内蔵されているものであってもよい。この入力装置は、管理装置においてグループ毎に名称を入力する。名称とは、設備機器の機種名、機種を特定する記号や番号などである。
【００１３】
ここでは、グループ識別手段により示されるグループにより各アダプタの所属グループを管理装置側で認識できるため、入力装置によってグループ毎に設備機器の名称を入力することで、管理装置において、設備機器、その名称、および管理装置への接続に用いているアダプタ群を対応づけさせることができる。なお、アダプタがグループ識別手段を有しているため、従来のように入力装置でアダプタのグルーピングを行った後に設備機器の名称を入力するのではなく、グループ識別手段により管理装置側で自動的にグルーピングされる各グループに対して入力装置で名称だけを入力すればよい。
【００１４】
請求項４に係る設備管理システムは、請求項３に記載の設備管理システムであって、アダプタ接続状態記憶装置をさらに備えている。アダプタ接続状態記憶装置は、アダプタを介して管理装置に接続される設備機器それぞれについて、名称毎に、アダプタの設備機器に対する標準の接続状態を記憶している。そして、管理装置は、アダプタ接続状態記憶装置に接続して、アダプタの設備機器に対する標準の接続状態を取り込むことができる。
【００１５】
ここでは、管理装置や入力装置においてアダプタの設備機器に対する接続状態を手入力しなくても、アダプタが設備機器に対して標準の接続状態で接続されていれば、アダプタ接続状態記憶装置から取り込んだアダプタの設備機器に対する標準の接続状態を対象設備機器の管理に用いることができる。
なお、アダプタ接続状態記憶装置からの情報の取り込みにおいては、膨大な設備機器の種類それぞれに対する情報の全てを取り込む必要はなく、管理装置にアダプタを介して接続されている設備機器に関する情報だけを、名称を基にして取り込めばよい。
【００１６】
請求項５に係る設備管理システムは、請求項４に記載の設備管理システムであって、入力装置は、管理装置においてアダプタの設備機器に対する実際の接続状態を入力することができる。
ここでは、ある設備機器に対応づけられているアダプタの一部が標準の接続状態で接続されていないような例外的な状態が存在する場合に、アダプタ接続状態記憶装置からアダプタの設備機器に対する標準の接続状態を取り込んで入力の手間を省くとともに、例外的な状態について、アダプタの設備機器に対する実際の接続状態を入力装置から入力することが可能である。このため、例えば、アダプタの余っている一部分を個別の事情に合わせて例外的な接続状態で使用したような場合にも、それを管理装置に認識させることができる。
【００１７】
請求項６に係るアダプタは、特定のプロトコルが採用される管理装置によって対象の設備機器を管理する際に、管理装置と１つの設備機器との間で同一仕様の複数のものが使用されるアダプタである。これらのアダプタは、それぞれ、変換手段と、グループ識別手段とを備えている。変換手段は、管理装置と設備機器との間でプロトコルの変換を行う。グループ識別手段は、アダプタが他のアダプタと共通のグループに属することを示すための手段である。
【００１８】
このアダプタを使用すれば、管理装置で採用されているプロトコルを採用していない設備機器であっても、管理装置での管理が可能になる。そして、対象となる設備機器を１つのアダプタを介して管理装置に接続しただけでは設備機器を十分に管理できず、１つの設備機器を２つ以上の同一仕様のアダプタを介して管理装置に接続しなければならない場合にも、アダプタがグループ識別手段を有しているため、１つの設備機器のための２つ以上のアダプタが共通のグループに属するようにグループ識別手段をセットすれば、管理装置側では各アダプタが属するグループを自動的に認識することができるようになる。
【００１９】
このように、ここでは、１つの設備機器に対して２つ以上のアダプタを使う場合においても、管理装置側における設備機器とアダプタとの対応づけに間違いが生じることが抑えられる。
請求項７に係るアダプタは、請求項６に記載のアダプタであって、自己を他のアダプタと識別するためのアダプタ識別手段をさらに備えている。
【００２０】
グループ識別手段を低コストにすると、識別可能なグループの数が小さくなる。したがって、１つの設備機器に１つのアダプタを用いるケースにまでグループを設定すると、グループ識別手段がグループ数に対応できなくなる恐れがある。これに対し、ここでは、アダプタ識別手段によって各アダプタを識別することができるため、１つの設備機器に１つのアダプタを用いるケースに対して仮想的な特定グループを設定してやれば、管理装置側で特定グループのものはアダプタそれぞれが単独で設備機器に対応づけられていると認識するようにし、アダプタの識別番号などをグループの代わりに採用して設備機器にアダプタを対応づけることができる。
【００２１】
【発明の実施の形態】
＜空調設備監視システムの全体構成＞
本発明の一実施形態に係る汎用アダプタを含む空調設備監視システムを、図１に示す。ここに示す空調設備監視システムは、遠隔監視センター８０を運営する事業者が、所定の外部通信機能を有する空調集中管理装置１５を配備しているビル１０等，１０’，１０’’・・・のオーナーや空調設備使用者に対して様々なサービスを提供するためのシステムである。空調設備監視システムは、遠隔監視センター８０内のサーバコンピュータ８１と、各ビル１０等のローカル空調システムとから構成されている。ローカル空調システムの空調集中管理装置１５は、遠隔監視センター８０内のサーバコンピュータ８１に対して、定期的に所定のデータ送信を行う。
【００２２】
＜遠隔監視センター８０のサーバコンピュータ８１の構成＞
遠隔監視センター８０は、各ビル１０等の空調設備の故障監視、故障予知、設備利用の料金管理、データ解析による改善提案、各種報告書の作成などを行うために設置されており、サーバコンピュータ８１を有している。サーバコンピュータ８１は、１又は複数のコンピュータから構成されており、各ビル１０等の空調集中管理装置１５から送られてくる種々のデータを監視・蓄積し、故障監視や各種報告書作成など多くのサービスを提供するための機能を備えている。
【００２３】
また、サーバコンピュータ８１は、ローカル空調システムにおける設定作業を補助するための機種別アダプタ標準接続データ記憶部８１ａを記憶している。これについては、ローカル空調システムの設定作業を説明するときに詳述する。
＜各ビル１０等のローカル空調システムの構成＞
各ビル１０等に配備されているローカル空調システムは、それぞれ別の冷媒系統を有する複数の空調設備を、空調集中管理装置１５により一括して監視したり制御したりするシステムである。具体的には、空調集中管理装置１５は、ビル１０等の管理者やオーナーからの指令により空調制御を行ったり、ビル１０等の管理者などに対して各空調設備に関する監視データを提供したりする。
【００２４】
また、空調集中管理装置１５は、空調設備の部品情報や温度情報などの特有の情報群を、定期的に（例えば１時間に１回）遠隔監視センター８０内のサーバコンピュータ８１に送信するとともに、異常等が発生した場合には即座に必要な情報群をサーバコンピュータ８１へと送信する。
この空調集中管理装置１５は、空調集中管理装置１５の製造メーカーが製造している空調設備であれば、通信においてデータを送受信するために定められた約束事であるプロトコルが共通であることが多く、共通の場合には所定の通信線によって直に接続させることができる。しかし、ビル等のオーナーや設計者の都合などで、空調集中管理装置１５の製造メーカーと異なる他メーカーが納入している空調設備が混在している場合には、その空調設備を直に空調集中管理装置１５に接続させることができないことが多い。このようなときにも、他メーカーの空調設備を空調集中管理装置１５において監視することができるように、このローカル空調システムでは、汎用アダプタを用意している。図１および図２において番号３５，３６，３７，４５，５５，５６で示すものが、汎用アダプタである。これらの汎用アダプタは、同一の構成を有する同一仕様のものであり、６つのセンサ５と、３つの接点３とを有している（図３参照）。汎用アダプタの詳細については、後に詳述する。
【００２５】
図１および図２に示すように、ビル１０におけるローカル空調システムでは、伝送ライン１９を介して、空調集中管理装置１５に各空調設備の室外機２１，３１，４１，５１・・・が接続されている。室外機２１，３１，４１，５１・・・は、それぞれ独立した冷媒系統および伝送線で室内機２２，３２，４２，５２・・・と結ばれている。このような構成により、空調集中管理装置１５は、各室外機２１，３１，４１，５１・・・から空調設備に関する情報を集める。
【００２６】
室外機２１は、空調集中管理装置１５が伝送ライン１９を介して通信する際のプロトコルに適合しているため、伝送ライン１９に直に接続される。
室外機３１は、他メーカーが製造したものであり、空調集中管理装置１５のプロトコルに適合しないため、汎用アダプタ３５，３６，３７を介して伝送ライン１９に接続される。この室外機３１は、監視項目が多く存在し、１つの汎用アダプタだけでは全ての監視項目をカバーできないため、３つの汎用アダプタ３５，３６，３７により空調集中管理装置１５が監視データを取得するようにしている。
【００２７】
室外機４１は、他メーカーが製造したものであり、空調集中管理装置１５のプロトコルに適合しないため、汎用アダプタ４５を介して伝送ライン１９に接続される。この室外機４１は、１つの汎用アダプタだけで全ての監視項目をカバーできるため、汎用アダプタ４５だけを使って空調集中管理装置１５が監視データを取得する。
【００２８】
室外機５１は、他メーカーが製造したものであり、空調集中管理装置１５のプロトコルに適合しないため、汎用アダプタ５５，５６を介して伝送ライン１９に接続される。この室外機５１は、監視項目が多く、１つの汎用アダプタだけでは全ての監視項目をカバーできないため、２つの汎用アダプタ５５，５６により空調集中管理装置１５が監視データを取得するようにしている。
【００２９】
次に、図３を参照して、汎用アダプタ５５，５６を例にとり、汎用アダプタの構成を説明する。
本実施形態に係る汎用アダプタは、１枚のボードなどがケーシング内部に収容されているものであって、６つのセンサ５および３つの接点６と、プロトコル変換部４と、識別アドレス用ディップスイッチ７と、グルーピング用ディップスイッチ８と、出力部９とを備えている。センサ５は、例えば、室外機３１の圧縮機の吐出管温度を検知するために用いられる。接点６は、例えば、室外機３１の圧縮機の発停（圧縮機の寿命に関連するパラメータ）を検知するために用いられる。センサ５や接点６は汎用的なものであり、いろいろな監視項目に対して適用することができる。プロトコル変換部４は、センサ５および接点６から入力されたデータを、空調集中管理装置１５のプロトコルに変換し、出力部９から伝送ライン１９へと送り出す。識別アドレス用ディップスイッチ７は、複数のディップスイッチから構成されており、他の汎用アダプタと異なるようにセットされる。グルーピング用ディップスイッチ８は、複数のディップスイッチ（ここでは４つのディップスイッチ）から構成されており、０〜１５までのグループ番号をセットできる。
【００３０】
＜ローカル空調システムの設定作業＞
［ローカルにおける設定作業］
ローカル空調システムにおいては、まず、空調集中管理装置１５が、接続されている各空調設備を把握する必要がある。
室外機２１を含む空調設備については、空調集中管理装置１５に対して伝送ライン１９を介して直に接続することによって、空調設備の機種名や監視必要項目のデータが自動的に空調集中管理装置１５に送られる。したがって、この空調設備に関しては、実際の設置場所などのデータを試運転ツール（コンピュータ）７１によって空調集中管理装置１５に入力すれば、概ね基本的な設定は完了する。
【００３１】
これに対して、汎用アダプタを介して空調集中管理装置１５に接続される室外機３１，４１，５１を含む各空調設備については、それぞれ機種名を入力する必要があるとともに、どの汎用アダプタがどの空調設備に対応しているのかを空調集中管理装置１５側で把握する必要がある。以下、汎用アダプタを介して空調集中管理装置１５に接続される空調設備に関して、空調集中管理装置１５がどのように状態の把握を行うのかについて説明する。
【００３２】
室外機３１には３つの汎用アダプタ３５，３６，３７、室外機４１には１つの汎用アダプタ４５、室外機５１には２つの汎用アダプタ５５，５６が装着されるが、各汎用アダプタは、各室外機３１，４１，５１の近傍に配置されることになる。これらの汎用アダプタは、各室外機３１，４１，５１に対して装着する前に、予め識別アドレス用ディップスイッチ７によって独自の識別アドレスがセットされるとともに、グルーピング用ディップスイッチ８によってグループ番号が付与される。識別アドレス用ディップスイッチ７は、それぞれのアダプタが独自の識別アドレスを有するようにセットされる。グループ番号については、０〜１５のいずれかの番号がセットされることになるが、同じ空調設備に対して束として用いられる汎用アダプタ（例えば、汎用アダプタ３５，３６，３７）については同一のグループ番号がセットされる。すなわち、同一グループ番号の汎用アダプタ群は、１つのグループとして、１台の空調設備の監視に用いられることになる。なお、同じ空調設備に対して用いられる汎用アダプタは、グループ番号が同一であればよく、グループ番号自身は他のグループと識別できる任意の番号であれば何でもよい。特に、グループ番号と機種名などとを合わせるようなことは行わない。
【００３３】
一方、室外機４１に装着される汎用アダプタ４５のように、１つの汎用アダプタで１つの空調設備だけを監視する使い方が為される場合には、その汎用アダプタのグループ番号は０にセットされる。これにより、汎用アダプタ１つによる空調設備１つの監視という大半を占める形態に対して、それぞれ特有のグループ番号を振る必要がなくなり、グルーピング用ディップスイッチ８を構成するディップスイッチの数量を増やす必要がなくなる。なお、グループ番号が０の汎用アダプタ群の識別は、識別アドレス用ディップスイッチ７による識別アドレスで行うことになる。
【００３４】
このように、識別アドレスおよびグループ番号が予め付与された汎用アダプタは、それぞれ、対応する空調設備の室外機３１，４１，５１・・・の設置場所に持っていかれ、センサ５や接点６が空調設備に取り付けられる。このときには、当然、グループ番号（グループ番号が０のものは識別アドレス）に基づき、対応する空調設備の室外機３１，４１，５１・・・へと汎用アダプタが持っていかれる。そして、空調設備に装着された汎用アダプタが伝送ライン１９を介して空調集中管理装置１５に接続されると、空調集中管理装置１５は、各汎用アダプタの識別アドレスおよびグループ番号を把握することになる。この段階で、空調集中管理装置１５は、汎用アダプタを介して接続される空調設備を、図４に示すように把握することになる。ここでは、グループ番号が０のものに対しては汎用アダプタ毎に空調設備が存在すると認識するとともに、グループ番号が０以外のものに対してはグループ番号毎に空調設備が存在すると認識する。そして、認識される空調設備それぞれに対して試運転ツール７１から機種名の入力が為されると、空調集中管理装置１５において、空調設備、その機種名、および接続に用いている汎用アダプタの対応づけが完了することになる。なお、ここでは、試運転ツール７１から空調集中管理装置１５へと、区別されている空調設備毎に文字列の機種名の入力が行われる。
【００３５】
このように、空調集中管理装置１５が汎用アダプタから送られてくる識別アドレスおよびグループ番号によって自動的に空調設備の区別を行うことができるため、ここでは、従来において試運転ツール７１によって行われていた汎用アダプタの空調設備への帰属を決めるグルーピング作業（手作業）がなくなる。
［遠隔監視センター内のサーバコンピュータによる設定動作］
試運転ツール７１によって機種名が入力され、空調集中管理装置１５において、空調設備、その機種名、および接続に用いている汎用アダプタの対応づけが完了すると、空調集中管理装置１５は、遠隔監視センター８０内のサーバコンピュータ８１と通信を行う。この通信時に、空調集中管理装置１５に接続されている空調設備の機種名に応じて、サーバコンピュータ８１が機種別アダプタ標準接続データ記憶部８１ａにある必要なデータを空調集中管理装置１５へと送信する。
【００３６】
サーバコンピュータ８１内の機種別アダプタ標準接続データ記憶部８１ａには、空調集中管理装置１５に汎用アダプタを介して接続される可能性のある空調設備（他メーカーのものなど空調集中管理装置１５のプロトコルに適合していないもの）について、それぞれアダプタ標準接続データが用意されている。ここに記憶されているアダプタ標準接続データは、その機種の空調設備に対して用いる汎用アダプタの数量と、単数又は複数の汎用アダプタの各センサ５や接点６の接続先とを含んでいる。
【００３７】
そして、空調集中管理装置１５に接続されている空調設備（各機種）について、空調集中管理装置１５とサーバコンピュータ８１との通信確立時に、機種別アダプタ標準接続データ記憶部８１ａから読み出されたデータが空調集中管理装置１５に取り込まれる。これにより、図４に示す「接点１」等や「センサ１」等の空欄に、それぞれデータが入ることになる。
【００３８】
通常は、サーバコンピュータ８１内の機種別アダプタ標準接続データ記憶部８１ａにある内容を標準としたマニュアルにしたがって空調設備に対する汎用アダプタの装着が行われるため、ローカルの空調集中管理装置１５において残る設定作業は確認作業となる。但し、ローカルの個別事情などによってマニュアルに反する汎用アダプタの装着を行っている場合や、汎用アダプタの余っているセンサ５や接点６を利用して空調設備以外の設備機器の監視（例えば、冷凍庫の温度の監視）を行っている場合には、試運転ツール７１によって空調集中管理装置１５の持つ図４のようなデータを修正することになる。
【００３９】
＜本システムの特徴＞
（１）
ここでは、空調集中管理装置１５で採用されているプロトコルを採用していない他メーカー等の空調設備であっても、汎用アダプタを介挿することによって、その空調設備を空調集中管理装置１５で監視することができる。
【００４０】
また、１つの汎用アダプタのスペック以上のデータ収集が必要な空調設備（室外機３１を含む空調設備や室外機５１を含む空調設備）であっても、複数の汎用アダプタを束にして用いることによって監視が可能となる。このため、センサ数や接点数の異なる様々なタイプの空調設備を、同一仕様の汎用アダプタによって監視することができる。これにより、専用アダプタの新規開発などが不要になる。
【００４１】
（２）
従来においては、汎用アダプタは、識別アドレスは有していても、グループ番号は有していない。このため、空調集中管理装置１５側で把握できるのは、汎用アダプタの識別アドレスのみであり、それぞれの汎用アダプタがどのように束になってどの空調設備に装着されているかについては、試運転ツール７１において入力する必要がある。しかし、各空調設備の室外機と空調集中管理装置１５とは大抵は違った場所に設置されているので、汎用アダプタがどのように束になっているのかを入力する際のグルーピング作業において、実際に汎用アダプタを目視して確認することは難しい。このため、空調設備と汎用アダプタとの実際の接続状態を入力するに際して設定ミスが発生することが多く、それを確認作業を繰り返すことによって回避するのに多大な時間がかかっている。特に、ローカル空調システムで管理する他メーカーの空調設備の数が多くなると、グルーピング作業にかかる負担が大きくなる。
【００４２】
これに対し、ここでは、対象となる空調設備（室外機３１を含む空調設備や室外機５１を含む空調設備）を２つ以上の汎用アダプタを介して空調集中管理装置１５に接続しなければならない場合にも、汎用アダプタにグループ番号を付与することができるため、１つの空調設備のための２つ以上の汎用アダプタが共通のグループに属するようにグループ番号を付与し、空調集中管理装置１５側で各汎用アダプタが属するグループを自動的に認識することができている。すなわち、従来において試運転ツール７１によって行われていた汎用アダプタの空調設備への帰属を決めるグルーピング作業は、その必要がなくなる。そして、ここでは、１つの空調設備に対して２つ以上の汎用アダプタを使う場合においても、空調集中管理装置１５側における空調設備と汎用アダプタとの対応づけに間違いが生じることが殆どなくなる。
【００４３】
（３）
本実施形態の汎用アダプタでは、グルーピング用ディップスイッチ８を４つのディップスイッチから構成し、０〜１５までの１６通りのグループ番号を汎用アダプタに付与できるようにしている。しかし、空調設備の数が多くなって１６を超えると、空調設備毎にグループ番号を付与することができなくなる。
【００４４】
これに鑑み、ここでは、各汎用アダプタが独自の識別アドレスを有していることを利用して、１つの空調設備に１つの汎用アダプタを用いる場合には仮想的な特定グループ番号として０を設定してやることとし、空調集中管理装置１５側でグループ番号０の汎用アダプタ群は、それぞれ単独で空調設備に対応づけられていると認識するようにしている。このように、ここでは、空調設備と汎用アダプタとが１対１で対応している場合には、アダプタの識別アドレスをグループ番号の代わりに利用して、空調設備を区別するようにしている。これにより、グルーピング用ディップスイッチ８を低コストに抑えることができている。
【００４５】
（４）
ここでは、空調集中管理装置１５や試運転ツール７１において汎用アダプタの空調設備に対する接続状態（各センサ５や接点６の接続先）を手入力しなくても、汎用アダプタが空調設備に対して標準の接続状態で接続されていれば、サーバコンピュータ８１から取り込んだ汎用アダプタの空調設備に対する標準の接続状態のデータを、空調集中管理装置１５において対象の空調設備の監視に用いることができる。
【００４６】
＜変形例＞
（Ａ）
上記実施形態では、空調設備の監視を目的として汎用アダプタを使っているが、空調設備のコントロールに使うことも考えられる。
（Ｂ）
上記実施形態では、対象となる空調設備としてビル用のマルチタイプの空調設備を想定して説明を行っているが、空調集中管理装置１５に接続可能な空調設備としては、セントラル空調設備などの他の空調設備も挙げられる。また、例えば、セントラル空調設備にも、チラー、ターボ冷凍機、吸収式冷凍機などの熱源機器の違いや二次側空調機器の違いによって、様々な種類の設備が存在する。このように、対象となる空調設備としては、様々な種類が存在しており、これにメーカーの違いを加味するため、サーバコンピュータ８１内の機種別アダプタ標準接続データ記憶部８１ａはローカルの空調集中管理装置１５では保持できないくらいの大きなデータを保有している。
【００４７】
（Ｃ）
上記実施形態では、汎用アダプタにグループ番号を付与する手段として、複数のディップスイッチから成るグルーピング用ディップスイッチを採用しているが、これには限られる訳ではなく、例えば、汎用アダプタに内蔵されるメモリと小さな液晶表示デバイスなどによってグループ番号の付与および表示を行うようにしてもよい。
【００４８】
【発明の効果】
請求項１に係る設備管理システムでは、対象となる設備機器を１つのアダプタを介して管理装置に接続しただけでは設備機器を十分に管理できず、１つの設備機器を２つ以上のアダプタを介して管理装置に接続しなければならない場合にも、アダプタがグループ識別手段を有しているため、１つの設備機器のための２つ以上のアダプタが共通のグループに属するようにグループ識別手段をセットすれば、管理装置側では各アダプタが属するグループを自動的に認識することができるようになる。このように、ここでは、１つの設備機器に対して２つ以上のアダプタを使う場合においても、管理装置側における設備機器とアダプタとの対応づけに間違いが生じることが抑えられる。
【００４９】
請求項２に係る設備管理システムでは、アダプタ識別手段によって各アダプタが識別されているので、１つの設備機器に１つのアダプタを用いるケースに対して仮想的な特定グループを設定してやれば、管理装置側で特定グループのものはアダプタそれぞれが単独で設備機器に対応づけられていると認識するようにし、アダプタの識別番号などをグループの代わりに採用して設備機器にアダプタを対応づけることができる。
【００５０】
請求項３に係る設備管理システムでは、グループ識別手段により示されるグループにより各アダプタの所属グループを管理装置側で認識できるため、入力装置によってグループ毎に設備機器の名称を入力することで、管理装置において、設備機器、その名称、および管理装置への接続に用いているアダプタ群を対応づけさせることができる。なお、アダプタがグループ識別手段を有しているため、従来のように入力装置でアダプタのグルーピングを行った後に設備機器の名称を入力するのではなく、グループ識別手段により管理装置側で自動的にグルーピングされる各グループに対して入力装置で名称だけを入力すればよい。
【００５１】
請求項４に係る設備管理システムでは、管理装置や入力装置においてアダプタの設備機器に対する接続状態を手入力しなくても、アダプタが設備機器に対して標準の接続状態で接続されていれば、アダプタ接続状態記憶装置から取り込んだアダプタの設備機器に対する標準の接続状態を対象設備機器の管理に用いることができる。なお、アダプタ接続状態記憶装置からの情報の取り込みにおいては、膨大な設備機器の種類それぞれに対する情報の全てを取り込む必要はなく、管理装置にアダプタを介して接続されている設備機器に関する情報だけを、名称を基にして取り込めばよい。
【００５２】
請求項５に係る設備管理システムでは、ある設備機器に対応づけられているアダプタの一部が標準の接続状態で接続されていないような例外的な状態が存在する場合に、アダプタ接続状態記憶装置からアダプタの設備機器に対する標準の接続状態を取り込んで入力の手間を省くとともに、例外的な状態について、アダプタの設備機器に対する実際の接続状態を入力装置から入力することが可能である。このため、例えば、アダプタの余っている一部分を個別の事情に合わせて例外的な接続状態で使用したような場合にも、それを管理装置に認識させることができる。
【００５３】
請求項６に係るアダプタを使用すれば、管理装置で採用されているプロトコルを採用していない設備機器であっても、管理装置での管理が可能になる。そして、対象となる設備機器を１つのアダプタを介して管理装置に接続しただけでは設備機器を十分に管理できず、１つの設備機器を２つ以上の同一仕様のアダプタを介して管理装置に接続しなければならない場合にも、アダプタがグループ識別手段を有しているため、１つの設備機器のための２つ以上のアダプタが共通のグループに属するようにグループ識別手段をセットすれば、管理装置側では各アダプタが属するグループを自動的に認識することができるようになる。このように、ここでは、１つの設備機器に対して２つ以上のアダプタを使う場合においても、管理装置側における設備機器とアダプタとの対応づけに間違いが生じることが抑えられる。
【００５４】
請求項７に係るアダプタでは、アダプタ識別手段によって各アダプタを識別することができるため、１つの設備機器に１つのアダプタを用いるケースに対して仮想的な特定グループを設定してやれば、管理装置側で特定グループのものはアダプタそれぞれが単独で設備機器に対応づけられていると認識するようにし、アダプタの識別番号などをグループの代わりに採用して設備機器にアダプタを対応づけることができる。
【図面の簡単な説明】
【図１】本発明の一実施形態に係る空調設備監視システムのブロック構成図。
【図２】ローカル空調システムに試運転ツールを接続した状態を示す図。
【図３】空調室外機を空調集中管理装置に接続する２つの汎用アダプタの構成を示す図。
【図４】機種名の入力前における空調集中管理装置内の設備管理データの内容を示す図。
【図５】従来の空調設備監視システムのブロック構成図。
【符号の説明】
４　　プロトコル変換部（変換手段）
７　　識別アドレス用ディップスイッチ（アダプタ識別手段）
８　　グルーピング用ディップスイッチ（グループ識別手段）
１５　　空調集中管理装置（管理装置）
３１，４１，５１　　空調設備の室外機
３５，３６，３７，４５，５５，５６　　汎用アダプタ（アダプタ）
７１　　試運転ツール（入力装置）
８１　　サーバコンピュータ（アダプタ接続状態記憶装置）
【図１】
2004070788.tif 000003
【図２】
2004070788.tif 000004
【図３】
2004070788.tif 000005
【図４】
2004070788.tif 000006
【図５】
2004070788.tif 000007